(57)【要約】【課題】  この考案は、従来の欠点を取り除く為に考案された開閉扉であり、工場、ビル、マンション、一般住宅の扉等の開口部においてもスピーディーな開口・閉口が出来、開口部が全面開放される開閉扉を開発・提供する事にある。【解決手段】  上下方向に移動して開口、或いは、閉口する扉において、該扉を、水平方向に分割して複数枚の扉に設け、各扉の左右両端部にスプロケット等の動滑車をそれぞれ軸支して設け、且つ、該チェーンの一端をそれぞれ固着し、他端を左側動滑車の側部から上部に架けて巻回し、更に、右側動滑車の下部から側部に架けてチェーンを巻回経由し固着して設ける事で、移動手段により上下作動する際、それぞれの扉が円滑に平行移動可能にして設けたものである。又、前記、上下移動式開閉扉を横向き、又は、水平向きに設置して左右移動、又は、水平移動可能にして設けたものである。【選択図】  図７
0003131602.tif 000002
【実用新案登録請求の範囲】
【請求項１】
上下方向に移動して、開口或いは閉口する扉において、該扉は、主に上端部付近が位置する扉（１）と、下端部が位置する扉（２）と、二本のチェーン（Ｃ１）（Ｃ２）から成り、該扉を、開口部上限に、上端部付近が位置する扉（１）と、開口部下限に、下端部が位置する扉（２）とに分けて設け、上端部付近が位置する扉（１）、及び、下端部が位置する扉（２）の左右両端部に、スプロケット等の動滑車（Ｓ１）（Ｓ１’），（Ｓ２）（Ｓ２’）をそれぞれ軸支して設け、且つ、該チェーン（Ｃ１）（Ｃ２）の一端をそれぞれ固着し、他端を左側動滑車の側部から上部に架けて巻回し、更に、右側動滑車の下部から側部に架けてチェーンを巻回経由し固着して設ける事で、移動手段（Ｍ）により上下作動する際、それぞれの扉（１）（２）が円滑に平行移動可能にして設けた事を特徴とする開閉扉。
【請求項２】
左右方向に移動して、開口或いは閉口する扉において、該扉は、前記、請求項１記載の上下移動式開閉扉を横向きに設置し、且つ、開口側部両端にチェーンの固定部を設けて、チェーン（Ｃ１）（Ｃ２）の両端をそれぞれ固着し、移動手段（Ｍ）により左右作動する際、それぞれの扉（１）（２）が円滑に平行移動可能にして設けた事を特徴とする請求項１記載の開閉扉。
【請求項３】
水平方向に移動して、開口或いは閉口する扉において、該扉は、前記、請求項１記載の上下移動式開閉扉を水平向きに設置し、且つ、開口側部両端にチェーンの固定部を設けて、チェーン（Ｃ１）（Ｃ２）の両端をそれぞれ固着し、移動手段（Ｍ）により水平作動する際、それぞれの扉（１）（２）が円滑に平行移動可能にして設けた事を特徴とする請求項１記載の開閉扉。
【請求項４】
上下方向に移動して、開口或いは閉口し、複数枚の扉からなる扉において、該扉は、主に上端部付近が位置する扉（１）と、下端部が位置する扉（２）と、これら扉（１）（２）との中間に位置する複数枚の扉（３ａ，３ｂ・・・３ｎ）と、複数本のチェーン（Ｃ１）（Ｃ２）（Ｃ３ａ）（Ｃ３ｂ）・・・（Ｃ３ｎ）から成り、該扉を開口部上限に、上端部付近が位置する扉（１）と、開口部下限に、下端部が位置する扉（２）と、これら扉（１）（２）との中間に位置する複数枚の扉（３ａ，３ｂ・・・３ｎ）に分けて設け、上端部付近が位置する扉（１）、及び、下端部が位置する扉（２）、及び、中間に位置する複数枚の扉（３ａ，３ｂ・・・３ｎ）の左右両端部にスプロケット等の動滑車（Ｓ１）（Ｓ１’），（Ｓ２）（Ｓ２’），（Ｓａ，Ｓａ’）（Ｓｂ）（Ｓｂ’）・・・（Ｓｎ）（Ｓｎ’）をそれぞれ軸支して設け、且つ、該チェーン（Ｃ１）（Ｃ２）（Ｃ３ａ）（Ｃ３ｂ）・・・（Ｃ３ｎ）の一端をそれぞれ固着し、他端を左側動滑車の側部から上部に架けて巻回し、更に、右側動滑車の下部から側部に架けてチェーンを巻回経由し固着して設ける事で、移動手段（Ｍ）により上下作動する際、それぞれの扉（１）（２）（３ａ，３ｂ・・・３ｎ）が円滑に平行移動可能にして設けた事を特徴とする開閉扉。
【請求項５】
左右方向に移動して、開口或いは閉口し、複数枚の扉からなる扉において、該扉は、前記、請求項４記載の上下移動式開閉扉を横向きに設置し、且つ、開口側部両端にチェーンの固定部を設けて、チェーン（Ｃ１）（Ｃ２）（Ｃ３ａ）（Ｃ３ｂ）・・・（Ｃ３ｎ）の両端をそれぞれ固着し、移動手段（Ｍ）により左右作動する際、それぞれの扉（１）（２）（３ａ，３ｂ・・・３ｎ）が円滑に平行移動可能にして設けた事を特徴とする請求項４記載の開閉扉。
【請求項６】
水平方向に移動して、開口或いは閉口し、複数枚の扉からなる扉において、該扉は、前記、請求項４記載の上下移動式開閉扉を水平向きに設置し、且つ、開口側部両端にチェーンの固定部を設けて、チェーン（Ｃ１）（Ｃ２）（Ｃ３ａ）（Ｃ３ｂ）・・・（Ｃ３ｎ）の両端をそれぞれ固着し、移動手段（Ｍ）により水平作動する際、それぞれの扉（１）（２）（３ａ，３ｂ・・・３ｎ）が円滑に平行移動可能にして設けた事を特徴とする請求項４記載の開閉扉。
【考案の詳細な説明】
【技術分野】
【０００１】
この考案は、開閉扉に関するものである。
【背景技術】
【０００２】
従来、大型の機械部品や完成した製品が出入りする、比較的大きな開口部を有する工場等の開閉扉は、その開口、及び、閉口に、扉が大型である事により、時間が掛かりすぎるという欠点があり、更に、開口した開口部を、製品の出入りが邪魔にならないようにする為には、扉を収納する為の収納部が必要であり、或いは、扉を載置しておく場所が更に必要となり、その構成も、大変であった。又、ビル、マンション、一般住宅の扉等の開口部においても同様であった。
【０００３】
そこで、扉を水平方向に引き違い戸状に分割して設け、固定滑車、動滑車、バランサー機構により開閉する機構のものは存在するが、全ての扉が開放されるものではなく、一部の扉が開口部を遮蔽するものであった。（特許文献１参照。）
【特許文献１】特開２００４−２７８１０３号公報
【考案の開示】
【考案が解決しようとする課題】
【０００４】
そこで、この考案は、上記の従来の欠点を取り除く為に考案された開閉扉であり、工場、ビル、マンション、一般住宅の扉等の開口部においても迅速、且つ、円滑に開口・閉口が出来、開口部が全面開放される開閉扉を開発・提供する事にある。
【課題を解決するための手段】
【０００５】
この課題を解決する為の手段として、この考案は上下方向に移動して開口、或いは、閉口する扉において、該扉を、水平方向に分割して複数枚の扉に設け、各扉の左右両端部にスプロケット等の動滑車をそれぞれ軸支して設け、且つ、該チェーンの一端をそれぞれ固着し、他端を左側動滑車の側部から上部に架けて巻回し、更に、右側動滑車の下部から側部に架けてチェーンを巻回経由し固着して設ける事で、移動手段により上下作動する際、それぞれの扉が円滑に平行移動可能にして設けたものである。又、前記、上下移動式開閉扉を横向き、又は、水平向きに設置して左右移動、又は、水平移動可能にして設けたものである。
【考案の効果】
【０００６】
この考案の効果として、扉を、水平方向に分割して複数枚の扉に設け、各扉の左右両端部にスプロケット等の動滑車をそれぞれ軸支して設け、且つ、該チェーンの一端をそれぞれ固着し、他端を左側動滑車の側部から上部に架けて巻回し、更に、右側動滑車の下部から側部に架けてチェーンを巻回経由し固着して設ける事で、移動手段により上下作動する際、それぞれの扉が円滑に平行移動可能にして設けたものである。又、前記、上下移動式開閉扉を横向き、又は、水平向きに設置して左右移動、又は、水平移動可能にして設けた事で、扉を迅速、且つ、円滑に開閉可能にし、又、複数枚の扉を一個の移動手段と複数のチェーンとスプロケットの組み合わせで開閉作動出来る為、経済的である等、極めて有益なる効果を奏するものである。
【考案を実施するための最良の形態】
【０００７】
この考案の最良の形態として、各扉の大きさと枚数は、開口部の大きさに適合し、環境条件、品質、性能、コスト等を考慮した最適なものに設定する事が重要である。
【実施例１】
【０００８】
そこで、この考案の一実施例を図１〜図７に基づいて詳述すると、上下方向に移動して、開口或いは閉口する扉において、該扉は、主に上端部付近が位置する扉（１）と、下端部が位置する扉（２）と、二本のチェーン（Ｃ１）（Ｃ２）から成り、該扉を、開口部上限に、上端部付近が位置する扉（１）と、開口部下限に、下端部が位置する扉（２）とに分けて設け、上端部付近が位置する扉（１）、及び、下端部が位置する扉（２）の左右両端部に、スプロケット等の動滑車（Ｓ１）（Ｓ１’），（Ｓ２）（Ｓ２’）をそれぞれ軸支して設け、且つ、該チェーン（Ｃ１）（Ｃ２）の一端をそれぞれ固着し、他端を左側動滑車の側部から上部に架けて巻回し、更に、右側動滑車の下部から側部に架けてチェーンを巻回経由し固着して設ける事で、移動手段（Ｍ）により上下作動する際、それぞれの扉（１）（２）が円滑に平行移動可能にして設けた事を特徴とする開閉扉から構成される。
【０００９】
次に、この考案の部品構成、作動原理等詳細に説明すると、図１〜図７に示す様に、部品構成は主に上下二枚の扉（１）（２）と、扉の右側部をそれぞれガイドする二本のガイドフレーム（ＧＦ１）（ＧＦ２）と、扉の左側部をそれぞれガイドしながら伸縮する二本のガイドプレート（ＧＰ１）（ＧＰ２）と、二枚の扉の左右両端にそれぞれ設けたスプロケット部に係止して一端を床面に固着し、他端を柱部に固着して設け、二枚の扉（１）（２）の右側上下には、インナープレート（１ａ）（１ａ），（１ａ）（１ａ）をそれぞれ設け、且つ、該扉の上部左右両端部にスプロケット等の動滑車（Ｓ１）（Ｓ１’），（Ｓ２）（Ｓ２’）をそれぞれ軸支して設け、且つ、二枚の扉の内、上端部付近が位置する扉（１）の側面に、スプロケット（Ｓ４）を軸着し、該スプロケット（Ｓ４）にはチェーン（Ｃ４）を巻回して設け、該チェーン（Ｃ４）の一端は、扉（１）の上下方向の略中間部に位置する開口縁部（Ｘ）の固定金具（Ａ）に固着し、該チェーン（Ｃ４）の他端は、開口部下限に位置する扉（２）上端部の固定金具（Ｂ）に固着して設けたものである。尚、前記に説明した本考案の扉の左側部分の部品構成、及び、構造は、以前出願した機構（特願２００５−２４４４７２）をそのまま適用したものである。
【００１０】
又、上記（０００９）の二本のガイド用チェーン（Ｃ１）（Ｃ２）、及び、扉（１）側面のスプロケット（Ｓ４）部に巻回して設けた、チェーン（Ｃ４）の固定端部には長さ調整用ボルト（ＡＢ１）（ＡＢ２）（ＡＢ１’）（ＡＢ２’）(ＡＢ３）がそれぞれ係止されている。
【００１１】
そして、更に本考案は、図面上には記載していないが、扉の開閉時に発生する衝撃を緩和する為に、上端部付近が位置する扉（１）と下端部が位置する扉（２）との中間部に、緩衝器（ＳＡ）を設けても良い。
【００１２】
次に、この考案の作動原理について説明すると、上下二枚の扉（１）（２）の左右に軸着した、動滑車等のスプロケット（Ｓ１）（Ｓ１’），（Ｓ２）（Ｓ２’）には、それぞれガイド用のチェーン（Ｃ１）（Ｃ２）がそれぞれ巻回され、且つ、該チェーン（Ｃ１）（Ｃ２）の一端は、床面にそれぞれ固着され、該チェーン（Ｃ１）（Ｃ２）の他端を左側動滑車の側部から上部に架けて巻回し、更に、右側動滑車の下部から側部に架けてチェーンを巻回経由し柱部に固着して設け、且つ、該上端部付近が位置する扉（１）の左側面には、動滑車等のスプロケット（Ｓ４）が軸着され、該スプロケット（Ｓ４）にはチェーン（Ｃ４）が設けられ、該チェーン（Ｃ４）の一端は、扉（１）の上下方向の略中間部に位置する開口縁部に固定し、該チェーン（Ｃ４）の他端は、開口部下限に位置する扉（２）の上端部（Ｂ）に固定されていて、移動手段（Ｍ）により、上端部付近が位置する扉（１）の左側面の動滑車のスプロケット（Ｓ４）部を上下作動させると、下端部が位置する扉（２）は２倍の速さで上下作動する。
【００１３】
図８は、開閉扉の閉口扉時から開閉扉の途中を経て、開口扉時までの作動状況を表すものである。
【００１４】
又、扉の開口にあたっては、先ず、扉（１）を上方に移動させると、同時に扉（２）が上方に移動し始め、やがて両扉（１）（２）の下端部が同時に上限の位置に移るものであり、その移動手段（Ｍ）は、エアーモーター等の動力源であったり、或いは手動であっても良く、特に限定はしない。
【実施例２】
【００１５】
又、前記（０００８）の上下移動式開閉扉を横向きに設置し、左右方向に移動して開口或いは閉口する扉において、該扉は、前記、（０００８）記載の上下移動式開閉扉を横向きに設置し、且つ、開口側部一端にチェーンの固定部を設けて、チェーン（Ｃ１）（Ｃ２）の一端をそれぞれ固着し、移動手段（Ｍ）により左右移動させる事で、扉を左右方向に迅速且つ円滑に移動可能にして設けた事を特徴とする開閉扉である。
【００１６】
又、前記（０００８）の上下移動式開閉扉を水平向きに設置し、水平方向に移動して開口或いは閉口する扉において、該扉は、前記、（０００８）記載の上下移動式開閉扉を水平向きに設置し、且つ、開口側部一端にチェーンの固定部を設けて、チェーン（Ｃ１）（Ｃ２）の一端をそれぞれ固着し、移動手段（Ｍ）により水平移動させる事で、扉を水平方向に迅速且つ円滑に移動可能にして設けた事を特徴とする開閉扉である。
【実施例３】
【００１７】
この考案のその他の実施例として、図９に示す様に、上下方向に移動して、開口或いは閉口し、複数枚の扉からなる扉において、該扉は、主に上端部付近が位置する扉（１）と、下端部が位置する扉（２）と、これら扉（１）（２）との中間に位置する複数枚の扉（３ａ，３ｂ・・・３ｎ）と、複数本のチェーン（Ｃ１）（Ｃ２）（Ｃ３ａ）（Ｃ３ｂ）・・・（Ｃ３ｎ）から成り、該扉を開口部上限に、上端部付近が位置する扉（１）と、開口部下限に、下端部が位置する扉（２）と、これら扉（１）（２）との中間に位置する複数枚の扉（３ａ，３ｂ・・・３ｎ）に分けて設け、上端部付近が位置する扉（１）、及び、下端部が位置する扉（２）、及び、中間に位置する複数枚の扉（３ａ，３ｂ・・・３ｎ）の左右両端部にスプロケット等の動滑車（Ｓ１）（Ｓ１’），（Ｓ２）（Ｓ２’），（Ｓａ，Ｓａ’）（Ｓｂ）（Ｓｂ’）・・・（Ｓｎ）（Ｓｎ’）をそれぞれ軸支して設け、且つ、該チェーン（Ｃ１）（Ｃ２）（Ｃ３ａ）（Ｃ３ｂ）・・・（Ｃ３ｎ）の一端をそれぞれ固着し、他端を左側動滑車の側部から上部に架けて巻回し、更に、右側動滑車の下部から側部に架けてチェーンを巻回経由し固着して設ける事で、移動手段（Ｍ）により上下作動する際、それぞれの扉（１）（２）（３ａ，３ｂ・・・３ｎ）が円滑に平行移動可能にして設けた事を特徴とする開閉扉から構成される。
【００１８】
又、前記（００１６）の開閉扉を横向きに設置し、左右方向に移動して、開口或いは閉口し、複数枚の扉からなる扉において、該扉は、前記、請求項４記載の上下移動式開閉扉を横向きに設置し、且つ、開口側部両端にチェーンの固定部を設けて、チェーン（Ｃ１）（Ｃ２）（Ｃ３ａ）（Ｃ３ｂ）・・・（Ｃ３ｎ）の両端をそれぞれ固着し、移動手段（Ｍ）により左右作動する際、それぞれの扉（１）（２）（３ａ，３ｂ・・・３ｎ）が円滑に平行移動可能にして設けた事を特徴とする開閉扉である。
【００１９】
又、前記（００１６）の開閉扉を水平向きに設置し、水平方向に移動して、開口或いは閉口し、複数枚の扉からなる扉において、該扉は、前記、請求項４記載の上下移動式開閉扉を水平向きに設置し、且つ、開口側部両端にチェーンの固定部を設けて、チェーン（Ｃ１）（Ｃ２）（Ｃ３ａ）（Ｃ３ｂ）・・・（Ｃ３ｎ）の両端をそれぞれ固着し、移動手段（Ｍ）により水平作動する際、それぞれの扉（１）（２）（３ａ，３ｂ・・・３ｎ）が円滑に平行移動可能にして設けた事を特徴とする開閉扉である。
【００２０】
上記、（０００８）（００１４）（００１５）の部品構成及び部品構造、及び、（００１６）（００１７）（００１８）の部品構成及び部品構造は、基本的には同一の物を使用するが、状況に応じて、その都度一部変更する事も可能である。
【産業上の利用可能性】
【００２１】
この考案の開閉扉は、工場、ビル、マンション、一般住宅の扉等の開口部においてもスピーディーな開口・閉口が出来、開口部が全面開放される為、開閉扉の製造技術を確立し、且つ、開閉扉を製造・販売する事により、多くの建築関係市場に寄与する点で産業上の利用可能性を有する。
【図面の簡単な説明】
【００２２】
【図１】この考案の一実施例を示し、（Ａ）は開口扉途中時の平面図で、（Ｂ）は正面図である。
【図２】この考案の一実施例を示し、開口扉途中時の左側面図である。
【図３】この考案の一実施例を示し、（Ａ）は図１のａ部拡大詳細図で、（Ｂ）はｂ部拡大詳細図で、（Ｃ）はｃ部拡大詳細図である。
【図４】この考案の一実施例を示し、図１のｄ部拡大詳細図である。
【図５】この考案の一実施例を示し、（Ａ）は開口扉時の平面図で、（Ｂ）は正面図である。
【図６】この考案の一実施例を示し、開口扉時の左側面図である。
【図７】この考案の一実施例を示し、開口扉途中時の斜視図である。
【図８】この考案の一実施例を示し、開閉扉の作動状況を示す、左側面図と正面図である。
【図９】この考案のその他の実施例を示す説明図である。
【符号の説明】
【００２３】
１  上端部に位置する扉
１ａ  インナープレート
２  下端部に位置する扉
３ａ  扉
３ｂ  扉
３ｎ  扉
Ａ  固定金具
Ｂ  固定金具
ＡＢ１  長さ調整用ボルト
ＡＢ１’  長さ調整用ボルト
ＡＢ２  長さ調整用ボルト
ＡＢ２’  長さ調整用ボルト
ＡＢ３  長さ調整用ボルト
Ｃ１  チェーン
Ｃ２  チェーン
Ｃ３  チェーン
Ｃ３ａ  チェーン
Ｃ３ｂ  チェーン
Ｃ３ｎ  チェーン
Ｃ４  チェーン
ＧＦ１  ガイドフレーム
ＧＦ２  ガイドフレーム
ＧＰ１  ガイドプレート
ＧＰ２  ガイドプレート
Ｍ  移動手段
ＳＡ  緩衝器
Ｓ１  動滑車（スプロケット）
Ｓ１’   動滑車（スプロケット）
Ｓ２  動滑車（スプロケット）
Ｓ２’   動滑車（スプロケット）
Ｓ３  動滑車（スプロケット）
Ｓ３ａ  動滑車（スプロケット）
Ｓ３ｂ  動滑車（スプロケット）
Ｓ３ｎ  動滑車（スプロケット）
Ｓ４  動滑車（スプロケット）
Ｓａ  動滑車（スプロケット）
Ｓａ’  動滑車（スプロケット）
Ｓｂ  動滑車（スプロケット）
Ｓｂ’  動滑車（スプロケット）
Ｓｎ  動滑車（スプロケット）
Ｓｎ’  動滑車（スプロケット）
Ｘ  開口縁部
Ｘ’  開口縁部
【図１】
0003131602.tif 000003
【図２】
0003131602.tif 000004
【図３】
0003131602.tif 000005
【図４】
0003131602.tif 000006
【図５】
0003131602.tif 000007
【図６】
0003131602.tif 000008
【図７】
0003131602.tif 000009
【図８】
0003131602.tif 000010
【図９】
0003131602.tif 000011